(57)【要約】      （修正有）【課題】早く痛みや凝りなどの諸症状を改善し、靭帯や筋肉を柔らかくし骨格も正常にすることができるアンチエイジングロッドを提供する。【解決手段】アルミニュームの丸棒又は六角棒の先端１は円錐形に加工し、下部２は直角に切断したロッドであって、このロッド角、側面や先端で体表面から皮膚、筋肉、靱帯、骨又はツボに、アルミニュームの特有のエネルギーを活用した刺激を与える、健康、美容又はアンチエイジングに使用する。【選択図】図１
0003197338.tif 000002
【実用新案登録請求の範囲】
【請求項１】
丸棒又は六角棒の先端は円錐形に加工し、下部は直角に切断したロットの角と側面や先端で体表面から皮膚や筋肉や靱帯や骨やツボに、アルミニュームの特有のエネルギーを活用した刺激により、健康や美容やアンチエイジングに使用する。アンチエイジング・ロット（健康用器具）。
【考案の詳細な説明】
【技術分野】
【０００１】本発明は、丸棒又は六角棒の先端は円錐形に加工したことで、アルミニュームの特有のエネルギーを集中て放出していると考えられます。下部は直角に切断したロットの角と側面は体表面から皮膚や筋肉や靱帯や骨やツボを刺激することにより凝りや痛みや疲労や老化などの異常をアルミニュームの特有のエネルギーにより吸収し、早く正常に出来るのではないか考察されます。
アルミニュームの特有のエネルギーを活用した刺激は、早く痛みや凝りなどの諸症状を改善し、靭帯や筋肉を柔らかくし骨格も正常にすることがでる。
麻痺や痺れなどの神経を活性化することも早く改善できる。老化予防と慢性疲労や老化なども改善でき、美容効果もあり、安全かつ簡単にできる健康維持と健康増進に関するものである。
【背景技術】
【０００２】肩こりなど痛みや凝りには一般家庭では湿布、マグネットの貼付や木や合成樹脂など硬質材料で出来た指圧具で、患部を押たり、叩くなどの方法やマッサージ器や家庭電器治療器など行われている。鍼灸は資格者でないとできない。
【考案の概要】
【考案が解決しようとする課題】
【０００３】  従来の刺激する健康用器具は、体表面や筋肉の刺激で改善しようと考えられていた。しかし、その効果は、気分的なもので、はっきり実感できないことが、多々あった。又、マッサージ器や電気治療器は高価であり誰も簡単に購入できない。又、自分の健康を考えない人はいない、健康で長生きしたいと思っても自分でサプリメントや食事や運動など、努力するしかない。疲労や目の疲れや凝りなどすぐ治せないのが現状である。
アンチエイジング・ロットは、安価であり、小型で軽く携帯でき、誰でも、自分や家族や仲間でも、何時でも何処でも簡単にでき、普通では考えられないような効果がある。目の疲れなどは目の付近を撫でるだけでも、目がスッキリする。肩こりは簡単に改善できる。指先の刺激の繰り返しを常に刺激するだけでも指の血流が良くなり、手足の冷えも改善き、疲労も取り除くことは簡単にできる。通常では改善出来ない諸症状も改善できる。
【課題を解決するための手段】
【考案の効果】
【０００４】腰痛を主訴に多くの人を改善し、また、何処で治療を受けても治らない人もこの「ナガイ式刺激健康法」で改善してきましたが、自分の体を実験台にしてさらなる研究を重ねました。そうして辿りついたのが「内部の異常や疲労の蓄積などは骨皮を通じて筋肉や皮膚の表面に現れる」という結論です。それから、いわゆる東洋医学の「ツボ」も刺激しますが、ツボそのものではなく、ツボの周辺の骨皮部分や皮膚の表面の異常個所に「アンチエイｚング・ロッド」で刺激すれば、その強い刺激（微弱な刺激でも効果はありますが、刺激回数を多くしなければならない）に反応して、既成概念では考えられないように早く、気の流れ、血の流れ、リンパの流れ、神経などが活性かされ、痛みの改善や靭帯や筋肉を柔らかくし正常な筋肉や皮膚に改善され骨格も正常にすることができる。この使用法が解れば、肩こり、腰痛、捻挫、五十肩、ムチウチの後遺症、頚椎や背中の異常、頭痛、目の疲れ、眩暈、鼻炎、花粉症、喘息、咳、呼吸の苦しさ、体のだるさ、麻痺などのいな症状が、改善できます。
【考案の開示】
【考案が解決しようとする課題】
【０００５】自分や家族や仲間同士で、何時でも、何処でも安価なアンチエイジング・ロッドを使用して、凝りや痛みや疲労回復などの健康維持と健康増進や美容や老化の予防と老化の改善を多くの人が、自分の健康棒として活用され、元気で長生きしていただきたい。
【課題を解決するための手段】
【０００６】ロットと体の関係
健康体である正常な状態では、ロットの側面を体表面の皮膚に軽く接し、すべらし移動させた時、何も変化はありません。しかし異常な状態の体表面の皮膚にロットを軽く接し、すべらし移動をさせた時に、ロットが止まりますので、その付近（皮膚の色、ツヤでも解る）が異常点（ツボや痛みや凝りのある所）であり、施療点でもあります。施療点の皮膚に直接当てるか、下着などの上からでも可能です。異常点にたいして、ロットの角又は棒の側面を体表面の皮膚に軽く接し、すべらし、何回か面で刺激し、軽くマッサージすれば痛みや凝りがなくなれば正常な状態になります。疲労過多や、神経麻痺や老化などは筋肉や靱帯や骨を刺激しますが、最初は痛みを感じないが、時間をかけて刺激すれば、痛みを感じだんだん痛みが増してきます、理想は痛みがなくなればよいのですが、我慢出来る範囲で繰り返し刺激するしかない。痛みが無くなっても再度痛みがでてきます。骨に響くような痛みがなくなれば、骨と関係している筋肉や神経が活性化され正常な状態になります。尚、ロットで体のどこを、刺激しても、危険なことはなく、副作用もなく、安全です。アレルギー体質の人は、はじめは皮膚が赤くなり、黒ずむこともありますが、続けて繰り返し使用していれば、改善され体質も変わり、すぐもとの状態になります。
東洋医学のツボと経絡の関係で考察すれば、鍼灸の代わりに、ロットの角や側面を使かえば、ツボや経絡の異常は早く改善できます。又、ツボにロットを置き経絡に沿って軽くマッサージすれば経絡の異常も改善され、筋肉が柔らかくなることも確認できます。
伸筋と屈筋で考察すれば、上肢下肢ともに爪や指の先端を角で、刺激して、痛みがなくなれば、筋肉が柔らかくなり、痛みも疲労も改善します。個人差はありますが、例えばこの刺激だけで、健康体の人は肩こりが瞬時改善する人もいます。神経麻痺や慢性疲労や老化による異常は筋肉や靱帯や骨を刺激して骨の表面を活性化すれば改善できます。
なにも解らなくても、筋肉を柔らかくし凝りや痛みを改善する方法
皮膚の表面の刺激の痛みをあまり感じない方法
ロット角で指の爪に沿って軽く井穴付近を軽く撫でたり、押したり、指先を刺激する方法でも筋肉が緩み痛みも改善されます。
ロットの側面で痛むところを撫で軽くマッサージすれば筋肉が柔らかくなり痛みも改善されます。又、顔面を美容ロラーの代わりに撫でれば皮膚が活性化され化粧のりが良くなると実践している人もいます。
背中全体の筋肉を柔らかくする方法
皮膚、筋肉、靱帯、骨の刺激痛があるけれども、改善できる方法
施療前に筋肉が柔らかくできるところまで最初した方が良い
耳の刺激
耳全体及び外道入り口をロットで刺激してはマッサージし、痛みがなくなるまで刺激すれば顔面、頭、アゴ、目、首、肩、背中までの異常が、なくなることを確認している。
口腔内の刺激
歯磨きと同様に毎日繰り返し、歯茎全般をロットの角や側面で軽く押し当てるようにして、刺激して見よう。
抵抗があるかも知れませんが、歯茎は刺激した方が良いと思います。歯茎の刺激で、顔面、頭、アゴ、目、首、肩、背中までの異常が、なくなることも確認しています。肩こりも改善できるようです。最初は痛みがありますが、繰り返し痛みが無くなるで刺激して見て下さい。元気なり、刺激する価値があります。
私は、体調が非常に悪いときで、歯ぐらぐらで、歯茎はとても悪い状態でしたが、刺激を、はじめて、最初に感じてことは、歯に力が入るようになり、歯は安定した状態なりました。東洋医学では肺臓と大腸は鼻、脾臓と胃は口、心臓と小腸は舌、肝臓と胆は目、腎臓と膀胱は耳との関係があるとされています。
あります。歯茎の刺激で口腔内の異常も改善されます。目にも、鼻にも非常に良いようです。  内臓の入り口は、口腔内ですので、内臓も元気に出来るようですので、最初は抵抗があるかも知れませんが、歯茎や頬の内側や唇なども刺激した方が良いと思います。
骨盤の異常を改善するために、骨盤全体を刺激し骨盤の骨を活性化すればよい。
下肢は膝から指先の刺激で殆ど改善できす                              。
最初にかがと全般と足首を角で先端は下にして（上にすれば痛みは少ない）、痛みが我慢できる範囲で痛みが無くなるまで繰り返し刺激すれば、体の中の異常が抜けていくのが実感でき、足が軽くなり力が入るようになる。慢性疲労や老化などには足首まわりや前頸骨や腓骨の刺激をすれば改善できる。
指の骨の刺激で頚筋や背中と指の関係ですが、親指は脊柱付近、人差し指は首の後方と背中、中指は首のその前側と背中、薬指は首の側面と体の側面、小指は首のその前側と体の前側の筋肉が緩みますので、刺激しながら確認できます。
（痛みを我慢しながら指の骨を刺激すると、その効果が実感できます。首の凝りや、肩こりや背中痛みや腰痛などにも影響しますので、日常繰り返し刺激すると元気になれます。
上肢は鎖骨、肩から指先のまでの刺激で殆ど改善できます。
足の指と同様に、手の指の骨の刺激で頚筋と指の関係ですが、人差し指は首の後方、中指はその前側、薬指は側面、小指はその前側の筋肉が緩みますので、刺激しながら確認できます。痛みを我慢しながら指の骨を刺激すると、その効果が実感できます。鎖骨の刺激で首、肩胛骨、肩付近の異常が改善できます。
指の骨の上側をロットの側面で刺激すると関節付近のとび出した部分が平らになる、その両側も同じように刺激すれば、指は細くなり変形も改善できます。
背中は、首から尾骨まで脊柱の両側の兪穴、肩中兪付近を刺激することがこの刺激健康法の基本であるし、最も効果のあるところである。（私は苦しい時や動悸がする時は妻にかなり痛いけど背中全般を刺激させますとこの苦しさや動悸が治まります。
肋骨は背中、わき、前の部分の異常個所を肋骨にそって刺激すれば、肋間神経痛や、なんとなど息苦しさが改善されます。（私は喘息と肺気腫を改善しました）筋肉の関係や、東洋医学のツボや経絡の関係や大事なところが沢山ありますので、内臓やその他、多く改善される所です。又、皮下脂肪もとれます。（妻は高脂血症で肋骨を毎日痛みを堪えて刺激した結果皮下脂肪がとれ腹部のくびれが確認出来るようになりました）
腹部はネーブル４点や指先で押さえて、硬い所や痛みを感じる所を刺激すれば良い。又、ロットの平らな面の角を使って、繰り返し、全体を刺激すれば、皮下脂肪も改善でき、体温上昇にも影響すると考えております・
＊  なお、施療方法は新しく発見できると思っています。
慢性疲労や老化を改善するには
指で骨を押した時は痛みを感じ、骨を刺激するためにロットの角や先端で押しても痛みを、感じないところは、痛みを感じるまで、繰り返し続けて押しかない。３０分押し続けても感じないこともある。痛みを感じてきても、繰り返し刺激するしかない。そのうちに骨に響くような痛みに変わってくる、その痛みがなくなれば骨の表面は活性化され、筋肉も正常になる。私も仙骨付近と頸骨の部分で３０分以上押しても痛みを感じないところがありました。繰り返し刺激して、現在では楽に歩けるようになりました。
美容効果
手足の刺激で首が細くなるように、顔面も頭も皮下脂肪が少なくなるのか、頭も小さくなり、小顔にもなります。通常顔面をロットの側面で撫でると化粧のりがよくなるようです。顔面を手で押して痛みを感じるところで、表面の刺激で改善できないところは、ロットの角か側面を少し強めに刺激して軽くマッサージすれば改善できます。又、顔面全般の骨の表面かなり痛みが強いが刺激して、骨の表面全般を活性化することもできます、但し押したあとがつきますが時間がすぎればよくなります。顔のことですから自分の責任でおこなってください。
【考案の効果】
【０００７】多くの人が、アンチエイジング・ロット使用して、健康で元気で通院は検査のみで、薬も服用しない人が多くなれば、膨大な医療費も削減できるのでは無いかと思っています。
【図面の簡単な説明】
【０００８】丸棒又は六角棒
１，先端は円錐形に加工した
２，下部は直角に切断した
【図１】
0003197338.tif 000003
【実施例】
【０００９】最近症例  ６０歳男性、値違いで首が回せない、腕も上げられない。指の刺激と背中や首や肩胛骨の動くように刺激した。３０分で改善
５０歳  窓口受け付けの女性  ５指幅の爪の刺激で肩こり１０分で解消
このロット使っている人で毎日、頭を刺激すると気持ちが良いとか、今年は花粉症がなく最近体調が良い人やロットがあるから無理をしてもなんとかなると思い込んでいる人もいます。
会員は自分の健康の必需品として使用しています。ロット持っていても使わない人はその価値解らないようです。
私は７０歳前から体調不良で、肺気腫と診断されましたが、呼吸の異常を感じた時は肋骨を刺激しています。手の指の変形や指関節の膨らみも改善し、指が形良く細くなりました。慢性疲労や老化による足のだるさも無くなり颯爽と歩いているなで、現在７８歳ですが呼吸が楽で今が最高に健康で色つやも良く人からは元気見えるようです。
妻も足首捻挫と老化なのか２年間歩行も困難な状態でしたが、自分なりに毎日足を刺激して、今は杖もいらず普通に歩いています。又、高脂血症で胸から腹部まで脂の塊でしたが就寝前に毎日痛い痛いと言いながら刺激していますが、皮下脂肪が薄くなり腰回りにくびれができ、全体に体が締まり細くなり、今まで絶対に減なかった体重が３ｋｇ減った自慢しています。
アンチエイジング・ロットを使った人でないと実感出来ないので、その価値は解りません。
0003197338.tif 000004
【手続補正書】
【提出日】平成27年2月23日(2015.2.23)
【手続補正１】
【補正対象書類名】実用新案登録請求の範囲
【補正対象項目名】全文
【補正方法】変更
【補正の内容】
【実用新案登録請求の範囲】
【請求項１】
アルミニュームの丸棒又は六角棒の先端は円錐形に加工し、下部は直角に切断したロットであって、このロット角、側面や先端で体表面から皮膚、筋肉、靱帯、骨又はツボに、アルミニュームの特有のエネルギーを活用した刺激を与える、健康、美容又はアンチエイジングに使用する、アンチエイジング・ロット。
【手続補正３】
【補正対象書類名】明細書
【補正対象項目名】全文
【補正方法】変更
【補正の内容】
【考案の詳細な説明】
【技術分野】
【０００１】本発明は、丸棒又は六角棒の先端は円錐形に加工したことで、アルミニュームの特有のエネルギーを集中て放出し、下部は直角に切断したロットの角と側面は体表面から異常をアルミニュームの特有のエネルギーにより吸収するのでは、ないかと考えられます。ロット先端、角又は側面は体表面から皮膚、筋肉、靱帯、骨又はツボを刺激することにより凝りや痛みや疲労や老化などの異常を早く正常に出来るので、早く痛みや凝りなどの諸症状を改善し、靭帯や筋肉を柔らかくし骨格も正常にすることがでる。麻痺や痺れなどの神経を活性化することも早く改善できる。老化予防と慢性疲労や老化なども改善でき、美容効果もあり、安全かつ簡単にできる健康維持と健康増進に関するものである。
【背景技術】
【０００２】肩こりなど痛みや凝りには一般家庭では湿布、マグネットの貼付や木や合成樹脂など硬質材料で出来た指圧具で、患部を押たり、叩くなどの方法やマッサージ器や家庭電器治療器など行われている。鍼灸は資格者でないとできない。
【考案の概要】
【考案が解決しようとする課題】
【０００３】  マッサージ器や電気治療器は高価であり誰も簡単に購入できない。又、自分の健康を考えない人はいない、健康で長生きしたいと思っても自分でサプリメントや食事や運動など、努力するしかない。疲労や目の疲れや凝りなどすぐ治せないのが現状である。
アンチエイジング・ロットは、安価であり、小型で軽く携帯でき、誰でも、自分や家族や仲間でも、何時でも何処でも簡単にでき、普通では考えられないような効果がある。目の疲れなどは目の付近を撫でるだけでも、目がスッキリする。肩こりは簡単に改善できる。指先の刺激の繰り返しを常に刺激するだけでも指の血流が良くなり、手足の冷えも改善き、疲労も取り除くことは簡単にできる。通常では改善出来ない諸症状も改善できる。
【課題を解決するための手段】
【考案の効果】
【０００４】内部の異常や疲労の蓄積などは骨皮を通じて筋肉や皮膚の表面に現れる」という結論です。それから、いわゆる東洋医学のツボも刺激しますが、ツボそのものではなく、ツボの周辺の骨皮部分や皮膚の表面の異常個所にアンチエイジング・ロッドで刺激すれば、その強い刺激に反応して、既成概念では考えられないように早く、気刺激すれば、その強い刺激に反応して、既成概念では考えられないように早く、気の流れ、血の流れ、リンパの流れ、神経などが活性かされ、痛みの改善や靭帯や筋肉を柔らかくし正常な筋肉や皮膚に改善され骨格も正常にすることができる。この使用法が解れば、肩こり、腰痛、捻挫、五十肩、ムチウチの後遺症、頚椎や背中の異常、頭痛、目の疲れ、眩暈、鼻炎、花粉症、喘息、咳、呼吸の苦しさ、体のだるさ、麻痺などのいな症状が、改善できます。
【考案の開示】
【考案が解決しようとする課題】
【０００５】自分や家族や仲間同士で、何時でも、何処でも安価なアンチエイジング・ロッドを使用して、凝りや痛みや疲労回復などの健康維持と健康増進や美容や老化の予防と老化の改善を多くの人が、自分の健康棒として活用され、元気で長生きしていただきたい。
【課題を解決するための手段】
【０００６】東洋医学のツボと経絡の関係で考察すれば、鍼灸の代わりに、ロットの先端、角または側面を使かえば、ツボや経絡の異常は早く改善できます。又、ツボにロットを置き経絡に沿って軽くマッサージすれば経絡の異常も改善され、筋肉が柔らかくなり痛みも無くなることも確認できます。
伸筋と屈筋で考察すれば、上肢下肢ともに爪や指の先端を角で、刺激して、痛みがなくなれば、筋肉が柔らかくなり、痛みも疲労も改善します。個人差はありますが、例えばこの刺激だけで、健康体の人は肩こりが瞬時改善する人もいます。神経麻痺や慢性疲労や老化による異常は筋肉、靱帯、骨を刺激して骨の表面を活性化すれば改善できます。
背中は、首から尾骨まで脊柱の両側の兪穴、肩中兪付近を刺激することがこの刺激健康法の基本であるし、最も効果のあるところである。（私は苦しい時や動悸がする時は妻にかなり痛いけど背中全般を刺激させますとこの苦しさや動悸が治まります。
美容効果
耳の刺激と手足の刺激で首が細くなるように、顔面も頭も皮下脂肪が少なくなるのか、頭も小さくなり、小顔にもなります。通常顔面をロットの側面で撫でると化粧のりがよくなるようです。顔面を手で押して痛みを感じるところや、表面の刺激で改善できないところは、ロットの先端、角又は側面で少し強めに刺激して軽くマッサージすれば改善できます。
【考案の効果】
【０００７】多くの人が、アンチエイジング・ロット使用して、健康で元気で通院は検査のみで、薬も服用しない人が多くなれば、膨大な医療費も削減できるのでは無いかと思っています。
【図面の簡単な説明】
【０００８】
【図１】丸棒又は六角棒  １，左側面は先端部分を円錐形に加工した  ２，右側面は直角に切断し面取りをした
【手続補正４】
【補正対象書類名】図面
【補正対象項目名】全図
【補正方法】変更
【補正の内容】
【図１】
0003197338.tif 000005